(57)【要約】【課題】深底の収納ケース内を仕切って長物を縦に収納し、取り出しやすくする【解決手段】収納ケース１内を収納物の大きさに応じて仕切る収納ケースの仕切構造である。収納ケース１内を仕切る仕切り板４，５を備え、この仕切り板の両端に係止用突起２１を設けた。収納ケース１の内壁には、仕切り板４，５の端面が嵌合されて支持される支持溝１０と、係止用突起２１が嵌合されて仕切り板を収納ケースの内壁に固定する切り欠き１２とを設けた。縦仕切り板４には、その上部に横仕切り板５を支持する支持用リブ１８と、各支持用リブ１８の下部に位置して横仕切り板５の下部を位置決めしてズレを防止する位置決め用リブ１９とを設けた。横仕切り板５には支持用リブ１８に嵌合する当て板部２４を設けた。支持用リブ１８は当て板部２４を支持して上下のスライドを許容する。【選択図】　　図１
0003096981.tif 000002
【実用新案登録請求の範囲】
【請求項１】
収納ケース内を収納物の大きさに応じて仕切る収納ケースの仕切構造において、
上記収納ケース内を仕切る仕切り板を備え、
当該仕切り板の両端に係止用突起を設け、
上記収納ケースの内壁に、上記仕切り板の端面が嵌合されて支持される支持溝と、上記仕切り板の係止用突起が嵌合されて上記仕切り板が上記収納ケースの内壁に固定される切り欠きとを設けたことを特徴とする収納ケースの仕切構造。
【請求項２】
収納ケース内を収納物の大きさに応じて仕切る収納ケースの仕切構造において、
上記収納ケース内を縦横に仕切る複数の仕切り板を備え、
当該複数の仕切り板のうちの１又は複数が、他の仕切り板を支持する１又は複数の支持用リブを有し、
上記他の仕切り板が上記支持用リブに嵌合する当て板部を有し、
上記支持用リブが上記当て板部をその前後左右から抱えこんで上下のスライドを許容しつつ支持することを特徴とする収納ケースの仕切構造。
【請求項３】
収納ケース内を収納物の大きさに応じて仕切る収納ケースの仕切構造において、
上記収納ケース内を縦横に仕切る複数の仕切り板を備え、
当該複数の仕切り板のうちの１又は複数が、その上部に設けられて他の仕切り板を支持する１又は複数の支持用リブと、各支持用リブの下部に位置して各支持用リブで支持された上記仕切り板の下部を位置決めしてズレを防止する位置決め用リブとを有し、
上記他の仕切り板が、その上部に上記支持用リブに嵌合する当て板部を有し、
上記支持用リブが上記当て板部をその前後左右から抱えこんで上下のスライドを許容しつつ支持することを特徴とする収納ケースの仕切構造。
【請求項４】
請求項１ないし３のいずれか１項に記載の収納ケースの仕切構造において、
上記仕切り板の上部に手掛けを備えたことを特徴とする収納ケースの仕切構造。
【請求項５】
請求項２又は３に記載の収納ケースの仕切構造において、
上記仕切り板が、上記支持用リブ若しくは上記支持用リブ及び位置決め用リブを、その表裏両面に備えたことを特徴とする収納ケースの仕切構造。
【請求項６】
請求項２又は３に記載の収納ケースの仕切構造において、
上記支持用リブに上記当て板部が嵌合した状態でこの当て板部を上下にスムーズにスライドさせる凸条を設けたことを特徴とする収納ケースの仕切構造。
【請求項７】
収納ケース内を収納物の大きさに応じて仕切る収納ケースの仕切構造において、
上記収納ケース内を縦に仕切る縦仕切り板と、上記収納ケース内を横に仕切る横仕切り板とを備え、
上記縦仕切り板が、その上部に設けられて上記横仕切り板を支持する１又は複数の支持用リブと、各支持用リブの下部に位置して各支持用リブで支持された上記横仕切り板の下部を位置決めしてズレを防止する位置決め用リブとを有し、
上記支持用リブが上記横仕切り板側を前後左右から抱えこんで上下のスライドを許容しつつ支持することを特徴とする収納ケースの仕切構造。
【請求項８】
収納ケース内を収納物の大きさに応じて仕切る収納ケースの仕切構造において、
上記収納ケース内を縦に仕切る縦仕切り板と、上記収納ケース内を横に仕切る横仕切り板とを備え、
上記横仕切り板が、その上部に上記縦仕切り板側に嵌合する当て板部を有することを特徴とする収納ケースの仕切構造。
【請求項９】
収納ケース内を収納物の大きさに応じて仕切る収納ケースの仕切構造において、
上記収納ケース内を縦に仕切る縦仕切り板と、上記収納ケース内を横に仕切る横仕切り板とを備え、
上記縦仕切り板が、その上部に設けられて上記横仕切り板を支持する１又は複数の支持用リブと、各支持用リブの下部に位置して各支持用リブで支持された上記横仕切り板の下部を位置決めしてズレを防止する位置決め用リブとを有し、
上記横仕切り板が、その上部に上記縦仕切り板の支持用リブに嵌合する当て板部を有し、
上記支持用リブが上記当て板部をその前後左右から抱えこんで上下のスライドを許容しつつ支持することを特徴とする収納ケースの仕切構造。
【請求項１０】
収納ケース内を収納物の大きさに応じて仕切る収納ケースの仕切構造において、
上記収納ケース内を縦に仕切る縦仕切り板と、上記収納ケース内を横に仕切る横仕切り板と、これら縦仕切り板及び横仕切り板を収納物の大きさに応じて適宜配設した状態でこれらを一体的に支持すると共に収納ケース内の底部形状に合わせて形成された底板とを備え、上記収納ケース内に出し入れ自在に装着されたことを特徴とする収納ケースの仕切構造。
【請求項１１】
請求項１０に記載の収納ケースの仕切構造において、
上記縦仕切り板又は横仕切り板が、その上部に手掛けを備えたことを特徴とする収納ケースの仕切構造。
【請求項１２】
請求項１０又は１１に記載の収納ケースの仕切構造において、
上記底板が、その周囲に立ち上げ壁を備えたことを特徴とする収納ケースの仕切構造。
【請求項１３】
容器本体内に物を収納する収納ケースにおいて、
上記容器本体内に請求項１ないし１２のいずれか１項に記載の収納ケースの仕切構造を備えたことを特徴とする収納ケース。
【請求項１４】
請求項１３に記載の収納ケースにおいて、
上記収納ケースの仕切構造の縦仕切り板及び横仕切り板が、上記容器本体の深さとほぼ同じ高さに設定されたことを特徴とする収納ケース。
【考案の詳細な説明】
【０００１】
【考案の属する技術分野】
この考案は、収納ケース内を収納物の大きさに応じて仕切る収納ケースの仕切構造及び収納ケースに関し、特に長物を縦に収納できるようにした収納ケースの仕切構造及び収納ケースに関するものである。
【０００２】
【従来の技術】
収納ケース等の収納空間を収納物の大きさに応じて仕切る仕切構造は一般に知られている。その一例として実開平２−１２４０４２号公報記載の縦仕切板の取付装置がある。
【０００３】
この取付装置では、引出し内が縦仕切板で左右に分割され、左右の収納空間が複数枚の横仕切板で仕切られている。
【０００４】
引出しの両側壁及び縦仕切板には係止孔が設けられている。横仕切板の両端にはフックが設けられている。そして、横仕切板の両端のフックが上記引出しの両側壁及び縦仕切板の係止孔に嵌合されて、引出し内の左右の収納空間が複数枚の横仕切板で仕切られる。
【０００５】
【考案が解決しようとする課題】
しかしながら、上記構成の取付装置では、底の浅い引出しに対しては問題ないが、深底の収納空間の場合は、強度が問題になることがある。即ち、フックを係止孔に嵌合させて仕切板を取り付ける場合、仕切板の下端部が固定されないため強度が弱く、工具等の重い物の収納容器には適さない。
【０００６】
本考案は、上述の点に鑑みてなされたもので、深底の収納ケースに対しても容易にかつ確実に仕切って長物を縦に収納できる収納ケースの仕切構造及び収納ケースを提供することを目的とする。
【０００７】
【課題を解決するための手段】
前述した課題を解決するために第１の考案に係る収納ケースの仕切構造は、収納ケース内を収納物の大きさに応じて仕切る収納ケースの仕切構造において、上記収納ケース内を仕切る仕切り板を備え、当該仕切り板の両端に係止用突起を設け、上記収納ケースの内壁に、上記仕切り板の端面が嵌合されて支持される支持溝と、上記仕切り板の係止用突起が嵌合されて上記仕切り板が上記収納ケースの内壁に固定される切り欠きとを設けたことを特徴とする。
【０００８】
上記構成により、仕切り板の端面を収納ケースの内壁の支持溝に嵌合させ、仕切り板の両端の係止用突起を切り欠きに嵌合させることで、仕切り板を容易にかつ確実に収納ケースに取り付けることができる。
【０００９】
第２の考案に係る収納ケースの仕切構造は、収納ケース内を収納物の大きさに応じて仕切る収納ケースの仕切構造において、上記収納ケース内を縦横に仕切る複数の仕切り板を備え、当該複数の仕切り板のうちの１又は複数が、他の仕切り板を支持する１又は複数の支持用リブを有し、上記他の仕切り板が上記支持用リブに嵌合する当て板部を有し、上記支持用リブが上記当て板部をその前後左右から抱えこんで上下のスライドを許容しつつ支持することを特徴とする。
【００１０】
上記構成により、一の仕切り板の支持用リブに他の仕切り板の当て板部を嵌合させる。これにより、支持用リブは当て板部をその前後左右から抱えこんで上下のスライドを許容しながら支持する。この状態で他の仕切り板を押し込んで、一の仕切り板と他の仕切り板を互いに固定する。
【００１１】
第３の考案に係る収納ケースの仕切構造は、収納ケース内を収納物の大きさに応じて仕切る収納ケースの仕切構造において、上記収納ケース内を縦横に仕切る複数の仕切り板を備え、当該複数の仕切り板のうちの１又は複数が、その上部に設けられて他の仕切り板を支持する１又は複数の支持用リブと、各支持用リブの下部に位置して各支持用リブで支持された上記横仕切り板の下部を位置決めしてズレを防止する位置決め用リブとを有し、上記他の仕切り板が、その上部に上記支持用リブに嵌合する当て板部を有し、上記支持用リブが上記当て板部をその前後左右から抱えこんで上下のスライドを許容しつつ支持することを特徴とする。
【００１２】
上記構成により、一の仕切り板の支持用リブに他の仕切り板の当て板部を嵌合させる。また、一の仕切り板の位置決め用リブに他の仕切り板の下部を嵌合させる。これにより、支持用リブは当て板部をその前後左右から抱えこんで上下のスライドを許容しながら支持し、位置決め用リブは他の仕切り板の下部を位置決めしてズレないように支持する。この状態で他の仕切り板を押し込んで、一の仕切り板と他の仕切り板を互いに固定する。
【００１３】
第４の考案に係る収納ケースの仕切構造は、第１ないし第３の考案のいずれかに記載の収納ケースの仕切構造において、上記仕切り板の上部に手掛けを備えたことを特徴とする。
【００１４】
上記構成により、仕切り板の上部に手掛けを備えたので、仕切り板の着脱を容易に行うことができる。
【００１５】
第５の考案に係る収納ケースの仕切構造は、第２又は第３の考案に係る収納ケースの仕切構造において、上記仕切り板が、上記支持用リブ若しくは上記支持用リブ及び位置決め用リブを、その表裏両面に備えたことを特徴とする。
【００１６】
上記構成により、支持用リブ等を表裏両面に備えたので、一の仕切り板に対して、その両側面に他の仕切り板を取り付けることができる。
【００１７】
第６の考案に係る収納ケースの仕切構造は、第２又は第３の考案に係る収納ケースの仕切構造において、上記支持用リブに上記当て板部が嵌合した状態でこの当て板部を上下にスムーズにスライドさせる凸条を設けたことを特徴とする。
【００１８】
上記構成により、凸条を設けたので、当て板部を、支持用リブに嵌合させた状態で上下にスムーズにスライドさせることができる。
【００１９】
第７の考案に係る収納ケースの仕切構造は、収納ケース内を収納物の大きさに応じて仕切る収納ケースの仕切構造において、上記収納ケース内を縦に仕切る縦仕切り板と、上記収納ケース内を横に仕切る横仕切り板とを備え、上記縦仕切り板が、その上部に設けられて上記横仕切り板を支持する１又は複数の支持用リブと、各支持用リブの下部に位置して各支持用リブで支持された上記横仕切り板の下部を位置決めしてズレを防止する位置決め用リブとを有し、上記支持用リブが上記横仕切り板側を前後左右から抱えこんで上下のスライドを許容しつつ支持することを特徴とする。
【００２０】
上記構成により、縦仕切り板の支持用リブに横仕切り板側を嵌合する。このとき、支持用リブは、横仕切り板側を前後左右から抱えこむようにして支持し、上下のスライドを許容する。これにより、横仕切り板側を支持用リブに嵌合して押し込む。横仕切り板の下部は、位置決め用リブに嵌合して位置決めされ、ズレが防止される。
【００２１】
第８の考案に係る収納ケースの仕切構造は、収納ケース内を収納物の大きさに応じて仕切る収納ケースの仕切構造において、上記収納ケース内を縦に仕切る縦仕切り板と、上記収納ケース内を横に仕切る横仕切り板とを備え、上記横仕切り板が、その上部に上記縦仕切り板側に嵌合する当て板部を有することを特徴とする。
【００２２】
上記構成により、横仕切り板の当て板部が縦仕切り板側に嵌合することで、横仕切り板を縦仕切り板に容易にかつ確実に支持させることができる。
【００２３】
第９の考案に係る収納ケースの仕切構造は、収納ケース内を収納物の大きさに応じて仕切る収納ケースの仕切構造において、上記収納ケース内を縦に仕切る縦仕切り板と、上記収納ケース内を横に仕切る横仕切り板とを備え、上記縦仕切り板が、その上部に設けられて上記横仕切り板を支持する１又は複数の支持用リブと、各支持用リブの下部に位置して各支持用リブで支持された上記横仕切り板の下部を位置決めしてズレを防止する位置決め用リブとを有し、上記横仕切り板が、その上部に上記縦仕切り板の支持用リブに嵌合する当て板部を有し、上記支持用リブが上記当て板部をその前後左右から抱えこんで上下のスライドを許容しつつ支持することを特徴とする。
【００２４】
上記構成により、縦仕切り板の支持用リブに横仕切り板の当て板部を嵌合させる。また、縦仕切り板の位置決め用リブに横仕切り板の下部を嵌合させる。これにより、支持用リブは当て板部をその前後左右から抱えこんで上下のスライドを許容しながら支持し、位置決め用リブは横仕切り板の下部を位置決めしてズレないように支持して、縦仕切り板と横仕切り板を互いに固定する。この状態で横仕切り板を押し込んで、縦仕切り板と横仕切り板を互いに固定する。
【００２５】
第１０の考案に係る収納ケースの仕切構造は、収納ケース内を収納物の大きさに応じて仕切る収納ケースの仕切構造において、上記収納ケース内を縦に仕切る縦仕切り板と、上記収納ケース内を横に仕切る横仕切り板と、これら縦仕切り板及び横仕切り板を収納物の大きさに応じて適宜配設した状態でこれらを一体的に支持すると共に収納ケース内の底部形状に合わせて形成された底板とを備え、上記収納ケース内に出し入れ自在に装着されたことを特徴とする。
【００２６】
上記構成により、一体的に支持された縦仕切り板、横仕切り板及び底板を収納ケース内に装着することで、容器本体内を容易に仕切ることができる。
【００２７】
第１１の考案に係る収納ケースの仕切構造は、第１０の考案に係る収納ケースの仕切構造において、上記縦仕切り板又は横仕切り板が、その上部に手掛けを備えたことを特徴とする。
【００２８】
上記構成により、手掛けを手で持って、収納ケース内に容易に出し入れすることができる。
【００２９】
第１２の考案に係る収納ケースの仕切構造は、第１０又は第１１の考案に係る収納ケースの仕切構造において、上記底板が、その周囲に立ち上げ壁を備えたことを特徴とする。
【００３０】
上記構成により、底板でドライバー（ねじ回し）等の長物の下部を支持し、底板の周囲の立ち上げ壁で長物が底板からずれて落ちるのを防止する。これにより、底板を持ち上げてドライバー等の長物を容易に取り出すことができる。
【００３１】
第１３の考案に係る収納ケースは、容器本体内に物を収納する収納ケースにおいて、上記容器本体内に請求項１ないし１２のいずれか１項に記載の収納ケースの仕切構造を備えたことを特徴とする。
【００３２】
上記構成により、ドライバーやスプレー缶等の長物に合わせて容器本体内を仕切ることができ、長物を効率的に収納することができる。
【００３３】
第１４の考案に係る収納ケースは、　第１３の考案に係る収納ケース上記収納ケースの仕切構造の縦仕切り板及び横仕切り板が、上記容器本体の深さとほぼ同じ高さに設定されたことを特徴とする。
【００３４】
上記構成により、深底の容器本体内を長物に合わせて仕切ることができ、長物を効率的に収納することができる。
【００３５】
【考案の実施の形態】
以下、本考案に係る収納ケースの仕切構造及び収納ケースについて、図面を参照しながら説明する。
【００３６】
図１は本実施形態に係る収納ケースをその蓋体を開いた状態で示す斜視図、図２は本実施形態に係る収納ケースをその蓋体を閉じた状態で示す斜視図、図３は本実施形態に係る収納ケースの内壁に設けられる支持溝及び切り欠きを示す斜視図、図４は本実施形態に係る収納ケースの縦仕切り板を示す正面図、図５は本実施形態に係る収納ケースの縦仕切り板を示す底面図、図６は本実施形態に係る収納ケースの縦仕切り板を示す側面図、図７は本実施形態に係る収納ケースの横仕切り板を示す正面図、図８は本実施形態に係る収納ケースの横仕切り板を示す平面図、図９は本実施形態に係る収納ケースの横仕切り板を示す側面図、図１０は本実施形態に係る収納ケースの内壁に接する横仕切り板を示す正面図、図１１は本実施形態に係る収納ケースの内壁に接する横仕切り板を示す平面図、図１２は本実施形態に係る収納ケースの内壁に接する横仕切り板を示す側面図、図１３は本実施形態に係る収納ケースの容器本体を示す平面図、図１４は第２実施形態に係る収納ケースの収納かごを示す斜視図である。
【００３７】
［第１実施形態］
以下に、本考案の第１実施形態について、図１〜図１３を基に説明する。
【００３８】
本実施形態に係る収納ケース１は図１及び図２に示すように主に、容器本体２と、蓋体３と、縦仕切り板４と、横仕切り板５とから構成されている。
【００３９】
容器本体２は物を収納する収納空間を構成するための部材である。容器本体２は、スプレー缶や、ドライバーが縦に収納できる深さに設定されている。容器本体２の上端の奥側（図１中の上側）には蓋体３を回動可能に支持するヒンジ７が設けられている。容器本体２の上端の手前側には、蓋体３を閉じた状態で固定するバックル８が２つ設けられている。
【００４０】
容器本体２の内側面には支持溝１０が設けられている。この支持溝１０は、縦仕切り板４又は横仕切り板５の端面を嵌合させて支持するための部材である。支持溝１０は、図３に示すように、２つの案内板部１１によって構成されている。２つの案内板部１１は、全体的にはほぼ平行で下方を僅かに狭く形成されている。具体的には、２つの案内板部１１の内壁の間隔を、下方に行くに従って少しずつ狭くなるように設定されている。これにより、縦仕切り板４又は横仕切り板５が嵌合されたときにその下部が、２つの案内板部１１の内壁に隙間なくぴったりはまるようになっている。支持溝１０は、容器本体２の内壁面に、互いに対向して１２カ所に、６対設けられている。
【００４１】
各案内板部１１の上端部の一側（容器本体２の内壁側である、図３中の左側）には切り欠き１２が設けられている。この切り欠き１２は、後述する縦仕切り板４又は横仕切り板５の係止用突起２１が嵌合されることで、これら縦仕切り板４又は横仕切り板５を係止用突起２１の内壁に固定して支持するための部材である。縦仕切り板４又は横仕切り板５は、その端面が支持溝１０に嵌合され、さらに係止用突起２１が切り欠き１２に嵌合されることで、容器本体２の内壁に確実に支持されるようになっている。
【００４２】
蓋体３は容器本体２を塞ぐための部材である。蓋体３は、図１及び図２に示すように、容器本体２の奥側にヒンジ７で回動可能に支持されている。容器本体２の手前側には、バックル８の嵌合部１５が２カ所に設けられている。蓋体３の上側の中央部には、収納ケース１を持ち運ぶための取っ手１６が設けられている。
【００４３】
縦仕切り板４及び横仕切り板５は、容器本体２内の収納空間を収納物の大きさに応じて仕切る収納ケースの仕切構造を構成するための部材である。
【００４４】
縦仕切り板４は、容器本体２内の収納空間を縦（図１の上下方向）に仕切るための部材である。この縦仕切り板４は、図１及び図４〜図６に示すように、容器本体２の縦方向の内側形状とほぼ同じ四角形板状に形成され、容器本体２内を縦方向に仕切る。縦仕切り板４は、容器本体２の深さとほぼ同じ高さに設定されている。縦仕切り板４の周囲にはその全周に亘って補強用リブ４Ａが設けられている。さらに、縦仕切り板４は、容器本体２の内側寸法とほぼ同じ寸法に設定され、容器本体２内の対向する２つの支持溝１０にそれぞれ嵌合するようになっている。この縦仕切り板４には、支持用リブ１８と、位置決め用リブ１９と、凸条２０と、係止用突起２１とを備えている。
【００４５】
支持用リブ１８は横仕切り板５を支持するための部材である。この支持用リブ１８は、互いに対向した平面Ｌ字状の係止爪１８Ａによって構成されている。この互いに対向した２つの係止爪１８Ａは、後述する横仕切り板５の当て板部２４をその前後左右から抱えこむように支持すると共に、上下のスライドを許容するようになっている。この支持用リブ１８は、縦仕切り板４の表裏両側面に３個ずつ設けられ、表裏両側面で横仕切り板５を支持するようになっている。
【００４６】
位置決め用リブ１９は、支持用リブ１８で支持された横仕切り板５の下部を位置決めしてズレを防止するための部材である。位置決め用リブ１９は各支持用リブ１８の下部に位置して設けられている。この位置決め用リブ１９は、対向する２枚の支持板で構成され、横仕切り板５の下部を挟んで支持するようになっている。２枚の支持板の間隔は、横仕切り板５の下部の厚さよりも僅かに広く設定されている。位置決め用リブ１９は、支持用リブ１８と同様に、縦仕切り板４の両側面に３個ずつ設けられ、表裏両側面で横仕切り板５の下部を支持するようになっている。
【００４７】
凸条２０は、縦仕切り板４の支持用リブ１８に後述する横仕切り板５の当て板部２４が嵌合した状態で、この当て板部２４との接触面積を減らして当て板部２４を上下にスムーズにスライドさせるための部材である。この凸条２０は、位置決め用リブ１９の２枚の支持板と同じ間隔で２本設けられ、支持用リブ１８と位置決め用リブ１９とを直線的に繋いで、縦仕切り板４の上端まで設けられている。
【００４８】
係止用突起２１は縦仕切り板４を収納ケース１の内壁に固定するための部材である。係止用突起２１は、縦仕切り板４の表裏面と直交する方向に配設された四角柱状の部材によって構成されている。係止用突起２１は、縦仕切り板４の両端面の上部にそれぞれ設けられている。具体的には、縦仕切り板４が容器本体２内に装着されて支持溝１０に嵌合した状態で、係止用突起２１が案内板部１１の切り欠き１２と同じ高さに位置して嵌合されるように設定されている。
【００４９】
横仕切り板５は、収納ケース１の容器本体２内を横方向に仕切るための部材である。横仕切り板５には、２枚の縦仕切り板４に挟まれた空間を仕切る中間横仕切り板５Ａと、容器本体２の内壁と縦仕切り板４に挟まれた空間を仕切る端部横仕切り板５Ｂとがある。
【００５０】
中間横仕切り板５Ａは、図１、図７〜図９に示すように、長方形板状に形成されている。中間横仕切り板５Ａの周囲にはその全周に亘って補強用リブ５Ｃが設けられている。さらに、中央部にも縦方向に２本の補強用リブ５Ｃが設けられている。中間横仕切り板５Ａには、当て板部２４と、手掛け２５とが設けられている。
【００５１】
当て板部２４は、縦仕切り板４の支持用リブ１８に嵌合することで、中間横仕切り板５Ａを縦仕切り板４側に固定するための部材である。この当て板部２４は、支持用リブ１８の２つの係止爪１８Ａの間の寸法に合わせた肉厚板状に形成され、中間横仕切り板５Ａの両端の上部（図７の左右端の上部）に設けられている。当て板部２４の下部にはテーパ２４Ａが設けられ、２つの係止爪１８Ａの間に容易に挿入できるようになっている。
【００５２】
中間横仕切り板５Ａの上端の中央部には手掛け２５が設けられている。この手掛け２５は、中間横仕切り板５Ａを着脱するときに手で持つための取っ手である。この手掛け２５を手で持って、中間横仕切り板５Ａを収納物の大きさに応じた位置に取り付け、必要に応じて取り外して付け替える。
【００５３】
端部横仕切り板５Ｂは、図１、図１０〜図１２に示すように、ほぼ長方形板状で、容器本体２の内壁面側を内壁面に合わせて多少傾斜させて形成されている。端部横仕切り板５Ｂの周囲にはその全周に亘って補強用リブ５Ｄが設けられている。さらに、中央部にも縦方向に２本の補強用リブ５Ｄが設けられている。端部横仕切り板５Ｂには、当て板部２４と、手掛け２５と、係止用突起２６とが設けられている。
【００５４】
当て板部２４及び手掛け２５は、上述した中間横仕切り板５Ａと同様の構成を有する。
【００５５】
係止用突起２６は、容器本体２の支持溝１０の切り欠き１２に嵌合することで、端部横仕切り板５Ｂを容器本体２側に固定するための部材である。係止用突起２６は、縦仕切り板４の表裏面と直交する方向に配設された四角柱状の部材によって構成されている。係止用突起２６は、端部横仕切り板５Ｂの一端面（図１０中の右端面）の上部に設けられている。具体的には、端部横仕切り板５Ｂが容器本体２内に装着されて支持溝１０に嵌合した状態で、係止用突起２６が案内板部１１の切り欠き１２と同じ高さに位置して嵌合されるように設定されている。
【００５６】
［動作］
以上のように構成された収納ケース１は、次のようにして容器本体２内を収納物の大きさに応じて仕切る。
【００５７】
まず、容器本体２内を縦仕切り板４で大きく仕切る。縦仕切り板４を支持溝１０に嵌合する。縦仕切り板４の両端部を各支持溝１０に挿入して下方へ押し下げる。これにより、縦仕切り板４の両端部が支持溝１０に嵌って、この支持溝１０で縦仕切り板４の下部が支持される。支持溝１０は下方へ行くに従って狭くなっているため、縦仕切り板４は押し下げられるに従って、狭くなる支持溝１０で支持される。次いで、縦仕切り板４の係止用突起２１を支持溝１０の切り欠き１２に嵌合させる。これにより、縦仕切り板４は、その下部を狭くなった支持溝１０で、上部を切り欠き１２で支持される。
【００５８】
次いで、収納物の大きさに応じて、横仕切り板５を取り付ける。２つの縦仕切り板４の間には中間横仕切り板５Ａを取り付ける。手掛け２５を手で持って中間横仕切り板５Ａの下部を縦仕切り板４の位置決め用リブ１９に合わせ、上部の当て板部２４を支持用リブ１８に合わせて嵌合する。この状態で中間横仕切り板５Ａを下方へ押して、当て板部２４を支持用リブ１８に押し込む。これにより、中間横仕切り板５Ａは、その上部を支持用リブ１８で、下部を位置決め用リブ１９で支持される。
【００５９】
中間横仕切り板５Ａを別の位置に付け替えるときは、手掛け２５を手で持って中間横仕切り板５Ａを引き抜き、上記同様にして別に位置に取り付ける。
【００６０】
端部横仕切り板５Ｂは、その一方の当て板部２４を縦仕切り板４の支持用リブ１８に押し込み、他方の係止用突起２６を支持溝１０の切り欠き１２に押し込む。
【００６１】
［効果］
以上のように、縦仕切り板４及び横仕切り板５を収納ケース１の容器本体２内の任意の位置に容易にかつ確実に取り付けることができるため、深底の収納ケース１内を容易にかつ確実に仕切ることができる。
【００６２】
これにより、ドライバーやスプレー缶等の長物を、縦にして収納することができるようになる。さらに、大きさの異なる複数の長物を効率的にかつ整然と収納することができるようになる。
【００６３】
［第２実施形態］
次に、本考案の第２実施形態について図１４を基に説明する。
【００６４】
本実施形態に係る収納ケースの全体構成は、上述した第１実施形態の収納ケース１とほぼ同様であるので、ここでは、同一部材に同一符号を付してその説明を省略し、特徴部分についてのみ説明する。
【００６５】
本実施形態に係る収納ケースの特徴は収納かご３１にある。この収納かご３１は、容器本体２内を収納物の大きさに応じて仕切ると共に、収納物を支持して取り出し易くするための部材である。収納かご３１は、縦仕切り板３２と、横仕切り板３３と、底板３４とから構成されている。
【００６６】
縦仕切り板３２は、収納ケース１の容器本体２内を縦に仕切るための板材である。この縦仕切り板３２はほぼ四角形状に形成されている。縦仕切り板３２の寸法は、容器本体２の縦方向の内側寸法よりも僅かに小さい寸法に設定されている。縦仕切り板３２の上端の中央部には手掛け３５が設けられている。この手掛け３５は、収納かご３１を容器本体２内に出し入れする際に手で持つための取っ手である。この手掛け３５を手で持って、収納かご３１を容器本体２内に挿入したり取り出したりする。さらに、収納かご３１に収納した収納物を取り出すときに、手掛け３５を手で持って収納かご３１を持ち上げて、収納物を容器本体２から少し出して取り出しやすいようにする。
【００６７】
横仕切り板３３は、縦仕切り板３２によって容器本体２内に仕切られた空間をさらに横に仕切るための部材である。横仕切り板３３は、縦仕切り板３２の任意の位置に取り付ける。ここでは、縦仕切り板３２の中央に取り付けられている。
【００６８】
底板３４は、縦仕切り板３２及び横仕切り板３３をその底部から一体的に支持するための部材である。底板３４は、収納ケース１の容器本体２内の底部形状に合わせて形成されている。ここでは、容器本体２の長手方向一端部の底部形状と同じ形状に形成されている。なお、容器本体２の底部形状に合わせた底板３４の形状としては、上述のように底部形状と同じ形状の場合と、底部形状よりも小さい形状の場合がある。ドライバー等の細い道具を装着する場合は、底部形状と同じ形状にしてぴったりはまり込むようにすることが望ましい。スプレー缶等の場合は、底部形状よりも小さい形状にして、縦仕切り板４及び横仕切り板５を一体的に支持すると共にスプレー缶等の底部の一部を支持するようにしてもよい。
【００６９】
底板３４の周囲には立ち上げ壁３６が設けられている。この立ち上げ壁３６は、収納した長物がずれ落ちるのを防止するための部材である。ドライバー等の長物をその下部から底板３４で支持する際に、手掛け３５を持って収納かご３１を上部へ持ち上げるとき、底板３４と容器本体２の内壁との間に隙間があると、ドライバーの先端等の細い物がずれて落ちてしまうおそれがあるため、立ち上げ壁３６を設けて長物のずれて落ちを防止している。
【００７０】
以上の構成の収納かご３１は、容器本体２内の任意の位置に設けることができるが、装着する位置を予め決めておく場合は、押え板３７を容器本体２内に設けておく。この押え板３７は、容器本体２の内面形状に沿ってＵ字状に形成された板材によって構成されている。この押え板３７は、容器本体２内の一側部に設けられ、容器本体２の一側端部に装着された収納かご３１の縦仕切り板３２に当接して収納かご３１を支持するようになっている。
【００７１】
以上のように構成された収納かご３１は、手掛け３５を手で持って、容器本体２の一端部と押え板３７との間に装着される。これにより、収納ケース１の容器本体２内を収納物の大きさに応じて仕切る。次いで、内部に長物等を収納する。収納かご３１に収納された長物等を取り出すときは、そのまま長物等を手に持って取り出す。取り出しにくいときは、手掛け３５を手で持って収納かご３１を少し持ち上げる。これにより、長物を容器本体２から持ち上げて掴みやすくして、取り出す。
【００７２】
これにより、収納かご３１を収納ケース１の容器本体２内の任意の位置に容易にかつ確実に取り付けることができるため、深底の収納ケース１内を容易にかつ確実に仕切ることができる。
【００７３】
さらに、必要に応じて手掛け３５を持って収納かご３１を持ち上げることができるため、収納物を容易に取り出すことができる。
【００７４】
［変形例］
上記実施形態では、横仕切り板５を、隣り合う支持溝１０の間隔に合わせた寸法に設定したが、２つ目の支持溝１０の間隔に合わせた寸法や容器本体２の横方向の両端の内壁までの間隔に合わせた寸法等の他の寸法に設定してもよい。収納物の大きさに合わせて適宜設定する。
【００７５】
上記実施形態では、縦仕切り板４を容器本体２内の収納空間を縦（図１の上下方向）に仕切るための部材とし、横仕切り板５を容器本体２内の収納空間を横に仕切るための部材としたが、これと逆に、横仕切り板５を縦に仕切るための部材、縦仕切り板４を横に仕切るための部材としてもよいことはいうまでもない。
【００７６】
【考案の効果】
以上、詳細に説明したように本考案によれば、次のような効果を奏することができる。
【００７７】
縦仕切り板及び横仕切り板を収納ケースの容器本体内の任意の位置に容易にかつ確実に取り付けることができるため、深底の収納ケース内を容易にかつ確実に仕切ることができる。
【００７８】
これにより、ドライバーやスプレー缶等の長物を、縦にして収納することができるようになる。さらに、大きさの異なる複数の長物を効率的にかつ整然と収納することができるようになる。
【００７９】
縦仕切り板、横仕切り板及び底板を一体的に支持して収納ケースの容器本体内の任意の位置に容易にかつ確実に取り付けることができるため、深底の収納ケース内を容易にかつ確実に仕切ることができる。
【００８０】
さらに、必要に応じて手掛けを持って持ち上げることができるため、収納物を容易に取り出すことができる。
【図面の簡単な説明】
【図１】本考案の第１実施形態に係る収納ケースをその蓋体を開いた状態で示す斜視図である。
【図２】本考案の第１実施形態に係る収納ケースをその蓋体を閉じた状態で示す斜視図である。
【図３】本考案の第１実施形態に係る収納ケースの内壁に設けられる支持溝及び切り欠きを示す斜視図である。
【図４】本考案の第１実施形態に係る収納ケースの縦仕切り板を示す正面図である。
【図５】本考案の第１実施形態に係る収納ケースの縦仕切り板を示す底面図である。
【図６】本考案の第１実施形態に係る収納ケースの縦仕切り板を示す側面図である。
【図７】本考案の第１実施形態に係る収納ケースの横仕切り板を示す正面図である。
【図８】本考案の第１実施形態に係る収納ケースの横仕切り板を示す平面図である。
【図９】本考案の第１実施形態に係る収納ケースの横仕切り板を示す側面図である。
【図１０】本考案の第１実施形態に係る収納ケースの内壁に接する横仕切り板を示す正面図である。
【図１１】本考案の第１実施形態に係る収納ケースの内壁に接する横仕切り板を示す平面図である。
【図１２】本考案の第１実施形態に係る収納ケースの内壁に接する横仕切り板を示す側面図である。
【図１３】本考案の第１実施形態に係る収納ケースの容器本体を示す平面図である。
【図１４】本考案の第２実施形態に係る収納ケースの収納かごを示す斜視図である。
【符号の説明】
１：収納ケース、２：容器本体、３：蓋体、４：縦仕切り板、５：横仕切り板、７：ヒンジ、８：バックル、１０：支持溝、１１：案内板部、１２：切り欠き、１５：嵌合部、１６：取っ手、１８：支持用リブ、１９：位置決め用リブ、２０：凸条、２１：係止用突起、３１：収納かご、３２：縦仕切り板、３３：横仕切り板３４：底板、３５：手掛け、３６：立ち上げ壁、３７：押え板。
【図１】
0003096981.tif 000003
【図２】
0003096981.tif 000004
【図３】
0003096981.tif 000005
【図４】
0003096981.tif 000006
【図５】
0003096981.tif 000007
【図６】
0003096981.tif 000008
【図７】
0003096981.tif 000009
【図８】
0003096981.tif 000010
【図９】
0003096981.tif 000011
【図１０】
0003096981.tif 000012
【図１１】
0003096981.tif 000013
【図１２】
0003096981.tif 000014
【図１３】
0003096981.tif 000015
【図１４】
0003096981.tif 000016